(57)【要約】  コンピュータ化されたデバイスは、デュアルチャネルで行なわれる、顕微鏡検査と電気化学試験を提供する。デバイスは、即時に結果をもたらす現場での試験のために現地に持って行くことができる。デュアルチャネルは、画像化チャネルと信号チャネルを含む。【選択図】図５Ｂ
2020507071.tif 000002
【特許請求の範囲】
【請求項１】
疾患状態を分析するためのデバイスであって、該デバイスは：
目に見えるサンプルを提供するために構成された画像化チャネル；および、
疾患状態の存在を判定するために、サンプルに反応した電極から発せられた電気化学反応に基づいて受信信号を分析するための信号アナライザーを含む信号チャネル、
を含む、デバイス。
【請求項２】
目に見えるサンプルの画像をスキャンし、およびスキャンされた画像から疾患状態の存在を判定するために構成された分析モジュールをさらに含む、請求項１に記載のデバイス。
【請求項３】
分析モジュールは、スキャンされた画像から、Ｇ６ＰＤ欠損産生、血糖値、熱帯熱マラリア原虫、三日熱マラリア原虫、Ｐ．マラリア、卵形マラリア原虫、およびサルマラリア原虫を含むマラリア原虫、および疾患段階、全血球計算、回帰熱とフィラリアを含む多重寄生虫、結核、パプ塗抹試験分析、尿検査および／または分析、および獣医学的疾患から成る群から選択される疾患状態の存在を判定するために構成される、請求項２に記載のデバイス。
【請求項４】
サンプルを拡大してスキャンするための光学機械システムであって、分析モジュールと通信する光学機械システムをさらに含む、請求項２に記載のデバイス。
【請求項５】
疾患状態の処置を決定するようにプログラムされたプロセッサであって、分析モジュールと通信するプロセッサをさらに含む、請求項２に記載のデバイス。
【請求項６】
疾患状態の処置を決定するようにプログラムされたプロセッサであって、分析モジュールおよび信号アナライザーと通信するプロセッサをさらに含む、請求項１に記載のデバイス。
【請求項７】
画像化チャネルと信号チャネルは、リアルタイムで疾患状態の存在の判定を出力するように構成される、請求項１に記載のデバイス。
【請求項８】
デバイスは、画像化チャネルおよび信号チャネルと通信するディスプレイを含む、請求項１に記載のデバイス。
【請求項９】
ディスプレイは、１）スクリーンディスプレイ、および２）外部コンピュータデバイスのディスプレイ画面上に図形を示すための外部コンピュータデバイスの画像センサーと通信するように構成されたディスプレイ出力部の１つ以上を含む、請求項８に記載のデバイス。
【請求項１０】
画像化チャネルは、サンプルを受け取るための第１の端部と、ディスプレイに関する、対向して配された第２の端部を含む、請求項８に記載のデバイス。
【請求項１１】
信号アナライザーと通信するアナログ／デジタル信号変換装置（ＡＤＣ）の類似物；および、
サンプルに反応した電極から発せられた電気化学的信号を読み取るための信号読取り装置であって、ＡＤＣと通信する信号読取り装置、
をさらに含む、請求項１に記載のデバイス。
【請求項１２】
信号アナライザーは、Ｇ６ＰＤ産生、血糖値、熱帯熱マラリア原虫、三日熱マラリア原虫、Ｐ．マラリア、卵形マラリア原虫を含むマラリア原虫、および疾患段階、全血球計算、回帰熱とフィラリアを含む多重寄生虫、結核、パプ塗抹試験分析、および獣医学的疾患から成る群から選択される疾患状態を判定するために、信号を分析するように構成される、請求項１１に記載のデバイス。
【請求項１３】
疾患状態の存在をユーザーインターフェース（ＵＩ）グラフィックディスプレイへと提示させるディスプレイへ、データを送信するようにプログラムされたプロセッサをさらに含む、請求項８および９に記載のデバイス。
【請求項１４】
画像化チャネルまたは信号チャネルの少なくとも１つと通信する位置モジュールであって、疾患状態の検出の全地球測位システム（ＧＰＳ）マッピングに基づいてリアルタイムの位置表示を示すように構成された位置モジュールをさらに含む、請求項１に記載のデバイス。
【請求項１５】
画像化チャネルにおいて目に見えるようにされるサンプルを保持する微小流体チップを受け入れるための第１のポート；および、
信号チャネルにおいてサンプルを保持する電極を受け入れるための第２のポート、
をさらに含む、請求項１に記載のデバイス。
【請求項１６】
第１のポートで受け入れるためのサンプル調製用の微小流体チップをさらに含む、請求項１５に記載のデバイス。
【請求項１７】
第２のポートで受け入れるための、サンプルとの接触時に電気化学反応を起こすために電極を含むバイオセンサー片をさらに含む、請求項１５に記載のデバイス。
【請求項１８】
サンプルは、同じサンプルの部分を含み、およびサンプルは、血液、尿、および組織の少なくとも１つを含む、請求項１６または１７に記載のデバイス。
【請求項１９】
微小流体チップは、染色剤、画像化強化剤、およびダイラタントの１つ以上とサンプルを混合するために構成される、請求項１６に記載のデバイス。
【請求項２０】
疾患状態を分析するための方法であって、該方法は：
ディスプレイ上で見るために、ディスプレイを含むデバイスの画像化チャネルにサンプルを提供する行程；および、
デバイスの信号チャネルにサンプルを提供する工程であって、デバイスは信号アナライザーを含み、および信号アナライザーは、疾患状態の存在を判定するために、サンプルに反応した電極から発せられた電気化学反応に基づいて、受信信号を分析する、行程、
を含む、方法。
【請求項２１】
信号アナライザーによって検出された疾患状態に関する情報は、ディスプレイに表示することができる、請求項２０に記載の方法。
【請求項２２】
画像化チャネルへ提供されるサンプルと、信号チャネルに提供されるサンプルは、同じサンプルの部分を含み、およびサンプルは、血液、尿、および組織の少なくとも１つを含む、請求項２０に記載の方法。
【請求項２３】
デバイスによって自動的に行なわれる、請求項２０に記載の方法。
【発明の詳細な説明】
【技術分野】
【０００１】
＜関連出願への相互参照＞
【０００２】
本出願は、２０１７年２月６日に出願された、“Ｐｏｒｔａｂｌｅ  Ｄｉｇｉｔａｌ  Ｄｉａｇｎｏｓｔｉｃ  Ｄｅｖｉｃｅ”と題され共同所有されている米国仮特許出願第６２／４５４，９３３号に関連し、かつその優先権を主張し、その開示は、その全体が参照により本明細書に組み込まれる。
【０００３】
本発明は、現場での疾患診断のための携帯用装置を対象とする。
【背景技術】
【０００４】
多くの臨床実験が、診断を提供するために血液サンプルの採取を必要とする。現在、患者は現場または現場外のいずれかで血液サンプルを提供し、その後、訓練された要員によって行なわれる、典型的には顕微鏡検査による分析のために、血液サンプルは検査室へと運ばれなければならず、検査結果を待たなければならない。血液サンプルの採取でさえも、シリンジ、翼状針、血液チューブ、および他の血液採取デバイスを使用して、訓練された要員によって行わなければならない。血液採取デバイスは、汚染され使用できなくなることがないように、適切に保管され、かつ衛生的な方法で保全されなければならない。さらに、一旦血液サンプルが顕微鏡学者に渡されると、顕微鏡検査または他の分析に使用可能なように、それは適切に「なすりつけ（ｓｍｅａｒｅ）」られなければならない。
【０００５】
顕微鏡検査は、検査室での解析にとっての「ゴールドスタンダード」である。世界の５０％より多くで、顕微鏡設備を有するクリニックは稀であり、同様に、顕微鏡検査設備を準備して操作し、そして血液または組織サンプルの診断を提供する訓練された顕微鏡学者も稀である。さらに、顕微鏡検査の遅れ（ｌａｇ）および顕微鏡使用者が現場、医療クリニック、病院等にいる場合でさえも、顕微鏡検査から検査結果を得るには時間がかかり、かつ即時であることはまずない。さらに、世界の多くの地域で、訓練された顕微鏡学者、および顕微鏡学者のための適切な顕微鏡設備を有する検査室は限定されており、農村住民等の様々な市民からはるか遠くにある場合もあり、血液検査と共に顕微鏡検査によって判定される結果を得ることをさらに困難にする。
【０００６】
サンプルの不適当な取り扱いの可能性、および患者から検査室への輸送時の天候と経過時間に起因するサンプルの汚染の可能性ゆえに、顕微鏡検査室への血液サンプルの輸送に関する問題が存在する。そのような血液検査はまた、世界の多くの人々にとって高価であり、そのような検査から多くの人々を排除する。さらに、結果はすぐには得られず、典型的には現場外であるため、患者に統計的研究を計画することができず、迅速な処置を必要とする感染患者を迅速に捜し出すことができない場合もある。
【０００７】
迅速診断検査（ＲＤＴ）は即時の結果を提供する。しかしながら、多くの疾患にはＲＤＴがなく、および疾患の検出には、早期発見に必要とされる有効な感度がなく、典型的に特異度が欠けている。これらのＲＤＴデバイスは、精度と信頼性を維持するために、適切に保管され、取り扱われなければならない。さらに、ＲＤＴには多くのメーカーが存在し、ＲＤＴの品質はメーカーによって大きく異なる。
【０００８】
疾患が急速に蔓延すると、それらを素早く初期段階で診断することが重要である。これによって、患者が健康を維持し、かつ疾患の蔓延を防ぐことができるように、確実に患者を素早く処置することができる。世界中の多くの場所では、検査施設の不足と、疾患を適切に特定することができる訓練された専門家の不足が相まって、これは単純に不可能である。
【０００９】
さらに、マラリア等のいくつかの疾患では、最も安全で適切な処置（マラリアの排除と根絶に関するＷＨＯのガイドラインに基づく）を決定するために、グルコース−６−リン酸脱水素酵素（Ｇ６ＰＤ）欠損試験等の追加の試験が必要である。マラリア診断に加えて、この試験は典型的に、世界の多くの田舎および遠隔地では利用可能ではなく、かつアクセス可能ではない。
【発明の概要】
【００１０】
本発明は、例えば、医師だけでなく公衆衛生士である場合もある、最小限の訓練を受けたオペレータによるリアルタイムの、即時の結果をもたらす実地試験のための、顕微鏡検査と電気化学試験を現場にもたらすコンピュータ化されたデバイスを提供する。コンピュータ化されたデバイスは、片手で持てるデバイスであり、遠隔地に持って行くことができ、何百万もの人々に以前はなかったヘルスケアへのアクセスを提供する。即時に結果が得られるため、その場で疾患と疾病が確定すると、不必要な抗生物質および／または抗マラリア剤等の薬剤の不必要な使用がなくなる。付加的に、疾患と疾病が即座に検出されるため、処置プロトコルを即座に開始することができ、伝染性および致命的な疾患と疾病の蔓延をなくすことができる。
【００１１】
コンピュータ化されたデバイスは、デュアルチャネルデバイスであり、一方のチャネルは画像化または顕微鏡検査用であり、もう一方のチャネルは電気化学（信号）用である。これらの２つのチャネルからの結果に基づいて、診断は、現場で現在可能であるよりも、より正確かつ効果的になり得る。これは、リアルタイムで疾患の動きを追跡し、および保健機関、研究所等の即時の効果的な介入のための他のデータを得るために、疾患の迅速かつ安全な処置と経過観察を可能にし、その蔓延を防ぎ、さらにリアルタイムで患者をマッピングすることを可能にする。デバイスは、例えば、同じＲｅｖＤｘハードウェアプラットフォームに基づいて様々な医療診断用途のためにプログラム可能な、ラボにある（ｌａｂ−ｏｎ−ｈａｎｄ）コンピュータ化プラットフォームである。
【００１２】
開示されるデバイスは、ほとんど訓練を受けていない、または何らかの訓練を受けたユーザーあるいは医療関係者によって、指を刺すことによって採取可能な血液サンプルを受け取ることができ、かつ訓練された医療関係者を必要としない。開示されるデバイスは、スマートフォンなどのモバイルデバイスまたはモバイルコンピュータに接続されるように設計され、デバイスは、血液サンプルの分析と、現場でリアルタイムで即時に診断を提供するために設計されている。デバイスは機械学習等の技術によって分析を行ない、および遠隔医療等の、他のネットワーク接続により血液サンプルの画像がインターネット等のネットワークを通じて遠隔地にいる訓練された医療関係者に伝達される。
【００１３】
この感度と精度のある診断を即座に得ることによって、患者は、従来よりもはるかに迅速に処置を受けることができる。これは、患者の健康を守り、および疾患が伝染性である場合は、疾患の蔓延を防ぐ。
【００１４】
本発明は、典型的には現場で、疾患の異なるまたは二元的な態様を診断するための対応する読取り分析システムを備える、バイオセンサー／電気化学片に基づいた使い捨ての試料調製キットを使用する。例えば、マラリアでは、それらの読取りと分析を伴う微小流体チップは、高い感度と特異度でマラリア原虫の種類を検出することができ、寄生虫の濃度が低い（マラリアの進行段階と比較した場合）初期段階でのマラリアの検出を可能にする。バイオセンサー片と読取りチャネルは、Ｇ６ＰＤ欠損を検出するために使用される。これは、マラリア原虫、三日熱マラリア原虫に使用される薬剤プリマキンでの処置が、安全に投与されることを保証するのに不可欠である。加えて、プリマキンは、他のマラリア原虫種の感染を防ぐために使用される。バイオセンサー読取りチャネルはまた、グルコースレベルのモニタリングに使用される。マラリアが低血糖症（危険なほど低レベルのグルコース）を引き起こし得るため、これは、どの患者が入院の許可を必要としているかを判定する助けとなる。
【００１５】
さらに、微小流体チップとバイオセンサー片が共に使い捨てであり、かつ試験時に血液サンプルを受け取るので、試験を受ける患者間で疾患が流通せず、プロセスは衛生的であり、血液汚染の可能性がないため正確であり、かつ最小限の訓練を受けた、または訓練されていない医療関係者によって短い時間で多くの患者を試験することができる。付加的に、微小流体チップとバイオセンサー片は、血液塗抹標本として使用可能な少量の血液を必要とする。血液は、例えば指を刺すことによって得られ、これは、ユーザー、あるいは医学訓練を受けていない、または最小限の医学訓練を受けた人物によって行なうことができる。
【００１６】
さらに、微小流体チップとバイオセンサー片は安価であるため、プロセスは安価であり、使用されるデバイスは一度購入すると何度も使用可能である。
【００１７】
本発明の実施形態は、疾患状態を分析するためのデバイスを対象とする。デバイスは：目に見えるサンプルを提供するために構成された画像化チャネル；および、疾患状態の存在を判定するために、サンプルに反応した電極から発せられた電気化学反応に基づいて受信信号を分析するための信号アナライザーを含む信号チャネル、を含む。
【００１８】
随意に、デバイスは付加的に：目に見えるサンプルの画像をスキャンし、およびスキャンされた画像から疾患状態の存在を判定するために構成された分析モジュールを含む。
【００１９】
随意に、分析モジュールは、スキャンされた画像から、以下から成る群から選択される疾患状態の存在を判定するために構成される：Ｇ６ＰＤ欠損産生、血糖値、熱帯熱マラリア原虫、三日熱マラリア原虫、Ｐ．マラリア、卵形マラリア原虫、およびサルマラリア原虫を含むマラリア原虫、および疾患段階、全血球計算、回帰熱とフィラリアを含む多重寄生虫、結核、パプ塗抹試験分析、尿検査および／または分析、および獣医学的疾患。
【００２０】
随意に、デバイスは付加的に：サンプルを拡大してスキャンするための光学機械システムであって、分析モジュールと通信する光学機械システムを含む。
【００２１】
随意に、デバイスは付加的に：疾患状態の処置を決定するようにプログラムされたプロセッサであって、分析モジュールと通信するプロセッサを含む。
【００２２】
随意に、デバイスは付加的に：疾患状態の処置を決定するようにプログラムされたプロセッサであって、分析モジュールおよび信号アナライザーと通信するプロセッサを含む。
【００２３】
随意に、画像化チャネルと信号チャネルは、リアルタイムで疾患状態の存在の判定を出力するように構成される。
【００２４】
随意に、デバイスは、画像化チャネルおよび信号チャネルと通信するディスプレイを含む。
【００２５】
随意に、ディスプレイは：１）スクリーンディスプレイ、および２）外部コンピュータデバイスのディスプレイ画面上に図形を示すための外部コンピュータデバイスの画像センサーと通信するように構成されたディスプレイ出力の１つ以上を含む。随意に、画像化チャネルは、サンプルを受け取るための第１の端部と、対向して配されたディスプレイに関する第２の端部を含む。
【００２６】
随意に、デバイスは付加的に：信号アナライザーと通信するデジタル信号変換装置（ＡＤＣ）の類似物；および、サンプルに反応した電極から発せられた電気化学的信号（例えばアナログ信号）を読み取るための信号読取り装置であって、ＡＤＣと通信する信号読取り装置を含む。
【００２７】
随意に、信号アナライザーは、以下から成る群から選択される疾患状態を判定する信号の分析のために構成される：Ｇ６ＰＤ産生、血糖値、熱帯熱マラリア原虫、三日熱マラリア原虫、Ｐ．マラリア、卵形マラリア原虫を含むマラリア原虫、および疾患段階、全血球計算、回帰熱とフィラリアを含む多重寄生虫、結核、パプ塗抹試験分析、および獣医学的疾患。
【００２８】
随意に、デバイスは付加的に：疾患状態の存在をユーザーインターフェース（ＵＩ）グラフィックディスプレイへと提示させる、ディスプレイにデータを送信するようにプログラムされたプロセッサを含む。
【００２９】
随意に、デバイスは付加的に：画像化チャネルまたは信号チャネルの少なくとも１つと通信する位置モジュールであって、疾患状態の検出の全地球測位システム（ＧＰＳ）マッピングに基づいてリアルタイムの位置表示を示すように構成された位置モジュールを含む。
【００３０】
随意に、デバイスは付加的に：画像化チャネルにおいて目に見えるようにされるサンプルを保持する微小流体チップを受け入れるための第１のポート；および信号チャネルにおいてサンプルを保持する電極を受け入れるための第２のポートを含む。
【００３１】
随意に、デバイスは付加的に：第１のポートで受け入れるためのサンプル調製用の微小流体チップを含む。
【００３２】
随意に、デバイスは付加的に：第２のポートで受け入れるための、サンプルとの接触時に電気化学反応を起こすために電極を含むバイオセンサー片を含む。
【００３３】
随意に、サンプルは、同じサンプルの部分を含み、およびサンプルは、血液、尿、組織の少なくとも１つを含む。
【００３４】
随意に、微小流体チップは、染色剤、画像化強化剤、およびダイラタントの１つ以上とサンプルを混合するために構成される。
【００３５】
本発明の実施形態は、疾患状態を例えば自動的に分析するための方法を対象とする。該方法は、ディスプレイ上で見るために、ディスプレイを含むデバイスの画像化チャネルにサンプルを提供する行程；および、デバイスの信号チャネルにサンプルを提供する工程であって、デバイスは信号アナライザーを含み、および信号アナライザーは、疾患状態の存在を判定するために、サンプルに反応した電極から発せられた電気化学反応に基づいて、受信信号を分析する、行程、を含む。
【００３６】
随意に、該方法では、信号アナライザーによって検出された疾患状態に関する情報がディスプレイ上に表示可能である。
【００３７】
随意に、該方法では、画像化チャネルへ提供されるサンプルと、信号チャネルに提供されるサンプルは、同じサンプルの部分を含み、およびサンプルは、血液、尿、および組織の少なくとも１つを含む。
【００３８】
別段の定義がない限り、本明細書で使用される全ての技術的および／または科学的用語は、本発明が属する技術分野の当業者によって理解されるのと同じ意味を有する。本明細書に記載のものと類似または同等の方法および材料が、本発明の実施形態の実施または試験に使用可能であるが、典型的な方法および／または材料が以下に記載される。矛盾する場合、定義を含む特許明細書が支配する。さらに、材料、方法、および実施例は単なる例示であり、必ずしも限定を意図したものではない。
【図面の簡単な説明】
【００３９】
本発明のいくつかの実施形態は、添付の図面を参照し、単なる例として本明細書に記載され、図面において参照番号または文字は、対応する要素または類似の要素を表す。ここで図面を詳細にとりわけ参照すると、詳細が一例として、本発明の実施形態の例示的説明の目的のために示されていることが強調される。この点では、図面について行われる記述により、本発明の実施形態を実施する方法が当業者に明らかとなる。
【００４０】
ここで、類似の参照番号または文字が、対応する、または類似の要素を指す図面に注目する。図面は以下のとおりである。
【図１】本発明の実施形態が行なわれる典型的な環境を示す図形である。
【図２】併用して使用されるベースとコンピュータデバイスのブロック図であり、さらに、これらのデバイスがどのようにネットワークにつながれているかを示す。
【図３】併用して使用されるベースとコンピュータデバイスの概略図である。
【図４Ａ】本発明の顕微鏡検査の態様の典型的なプロセスに関するフローダイアグラムである。
【図４Ｂ】本発明の電気化学の態様の典型的なプロセスに関するフローダイアグラムである。
【図５Ａ】本発明の実施形態に従った、スタンドアロンのコンピュータデバイスのブロック図である。
【図５Ｂ】本発明の実施形態に従った、別のスタンドアロンのコンピュータデバイスのブロック図である。
【図５Ｃ】図５Ｂのデバイスの斜視図である。
【図６Ａ】開示されるデバイスに関する微小流体装置の実例である。
【図６Ｂ】開示されるデバイスに関する微小流体装置の実例である。
【図６Ｃ】開示されるデバイスに関する微小流体装置の実例である。
【図６Ｄ】開示されるデバイスに関する微小流体装置の実例である。
【図７】マラリアを判定するための、および判定された場合に処置プロトコルを発行するための、開示されるデバイスによって行なわれるプロセスのフローダイアグラムである。
【図８Ａ】操作中の図５Ｂと５Ｃのデバイスのスクリーン図である。
【図８Ｂ】操作中の図５Ｂと５Ｃのデバイスのスクリーン図である。
【図８Ｃ】操作中の図５Ｂと５Ｃのデバイスのスクリーン図である。
【図８Ｄ】操作中の図５Ｂと５Ｃのデバイスのスクリーン図である。
【発明を実施するための形態】
【００４１】
図１は、本発明の実施形態例を示し、ここでベースの形態での電子デバイス（１００）は（電子デバイス（１００）はベースとしても知られ、これらの用語は本明細書で区別なく使用される）は、機械的に係合したディスプレイスクリーン（１０３）を含むモバイルコンピューティングデバイス、例えばスマートフォン（１０２）を受け入れ、それによって光学素子に直接接続し、互いに電子通信および／またはデータ通信する。ベース（１００）とスマートフォン（１０２）はまた、インターネット等の広域回線または公衆回線などの通信回線を通じて互いに接続されてもよい。さらに、ニアフィールド通信および他の電子通信フォーマットを介した接続、および通信モジュール（２５４）（図２）の入出力（Ｉ／Ｏ）ポートを介した直接リンクが存在してもよい。
【００４２】
ベース（１００）は、微小流体技術（１１２）に基づいた使い捨てのサンプル調製チップ／カセットの受け入れのための１つのポート（１１０）を含み、これは、例えば分析のための血液サンプル用であり、およびバイオセンサーを受け入れるための別のポート（１１４）を含み、ここで、例えば電極（１１６）上の動作端部（１１６ａ）で血液サンプルを受け取る。ポート（１１０）（１１４）は、チャネルと関係する。ポート（１１０）は、顕微鏡検査または画像化のための入口、または顕微鏡チャネルとして機能し、例えばマラリアでは、特異寄生生物（マラリアの種類）、およびマラリアの段階を特定し、さらに全血球計算（ＣＢＣ）用途のためのものである（用語「画像化チャネル」、「顕微鏡チャネル」および「光／光学チャネル」は本明細書で区別なく使用される）。他のポート（１１４）は、バイオセンサー片（１１６）の電極（１１６ｂ）上で血液サンプルからの電気化学的信号を分析するために、および例えば、マラリア感染患者に関して、適切かつ正確な薬物治療を決定するためにグルコース−６−リン酸脱水素酵素（Ｇ６ＰＤ）の有無を判定するために、信号チャネルまたは電気化学チャネルとして機能する（「信号チャネル」と「電気化学チャネル」は本明細書で区別なく使用される）。
【００４３】
図２は、ベース（１００）およびスマートフォン（１０２）のブロック図を示す。ベース（１００）とスマートフォン（１０２）は、互いに直接接続されているのが示され、および、ローカルエリアネットワーク（ＬＡＮ）、およびインターネット、セルラーネットワーク、および他の通信回線等の公衆回線を含む広域ネットワーク（ＷＡＮ）などの１つ以上のネットワーク（２００）に接続されている。両チャネル、つまり画像化チャネルはポート（１１０）から、および信号チャネルはポート（１１４）から、一般的な中央処理装置（ＣＰＵ）（２０２）を使用し、接続された記憶装置／メモリ（２０４）、ベース用の電源（２０６）、および通信モジュール（２０８）を伴い、そこから雄タイプ（ｍａｌｅ  ｔｙｐｅ）ＵＳＢ（ユニバーサルシリアルバス）（コネクタ）（２０９）または他の類似のコネクタが伸長する。
【００４４】
中央処理装置（ＣＰＵ）（２０２）は、デュアルチャネルのプロセスを行なうために、ＣＰＵ（２０２）によって実行されるマシン実行可能命令を保存する記憶装置／メモリ（２０４）と電子通信およびデータ通信を行う１つ以上のプロセッサから形成される。電源（２０６）は、バッテリーまたはプラグインの電源である。通信モジュール（２０８）は、ベース（１００）を往復するネットワーク（例えばインターネット）接続および通信を提供し、加えて、ベース（１００）とスマートフォン（１０２）との間の電子通信とデータ通信のための直接接続を提供する。
【００４５】
画像化チャネルはポート（１１０）を含み、後者は微小流体チップ（１１２）を受け入れる（図１）。微小流体チップ（１１０）は、光学機械システム（２１２）、および光学中継システム（２１４）を含む光学素子（３０８）（図３）によって可視化され、光学モジュールレンズ（２１６）で終端となり、そこを通じて画像が伝達される。光学素子（３０８）、例えば光学機械システム（２１２）はサンプルを拡大し、画像を含むビジュアルプレゼンテーションを向上させて、その高解像度ミクロンの達成を可能にする。
【００４６】
微小流体チップ（１１２）は、受け取った血液を運び、適切に見ることができるようにそれを染色するために、毛管作用に基づいて動作する。光学機械システム（２１２）（コントローラ（２１２ａ）を有する）は、光学モジュールレンズ（２１６）で終端となる光学中継システム（２１４）によって、顕微鏡で見るために、微小流体チップ（１１２）のスキャンを提供する（スキャンは、コントローラ（２１２ａ）による走査メカニズム（３０４）（図３）上のスタンド／引出し（３０２）の動きによって提供される）。光学機械システム（２１２）の一部としてライト（ＬＴ）（２１７）がさらに存在し、これは（スイッチ、ボタン等（図示せず）を介して）手動で、またはコントローラ（２１２ａ）によって制御され得る。光学機械システム（２１２）と光学中継システム（２１４）は、ＣＰＵ（２０２）、記憶装置／メモリ（２０４）、電源（２０６）、および通信モジュール（２０８）と、直接または間接に、電子通信および／またはデータ通信している。
【００４７】
図６Ａ〜６Ｄは、それぞれ、様々な微小流体チップ（１１２ａ）〜（１１２ｄ）を示す。
【００４８】
図６Ａに示される微小流体チップ（１１２ａ）は、顕微鏡検査用の、血液と、尿および他の成分、例えば染色等の他の流体を支持するのに適した、ガラスまたはポリマー、または両方、あるいは親水性コーティングの有無に関わらない他の物質の基板（６０１）を含む。基板（６０１）上には血液入口（６０２）があり、および基板の一方の端部（６０１ａ）には、気泡（包み）（６０４）に包まれた染色がある。使用が望ましい場合、気泡（６０４）に対する圧力は、トンネル側から気泡（６０４）を破裂させ、および微小流体トンネル（６０６）を通じて染色をプレスする。血液および／または希釈された血液と染色は、微小流体チャネル（６０６）を介して、ヘビ状の微小流体チャネル（６０８）へと移動し、後者は血液と染色のための混合領域（６１０）として機能する。共に依然として移動している血液と染色の混合物は、基板の他方の端部（６０１ｂ）において、視覚化チャンバ（６１４）へと、別の微小流体チャネル（６１２）を通って移動する。視覚化領域（６１４）は、装置（１００）（５００）の光学機械システム（２１２）の光学素子（３０８）と並ぶように基板（６０１）上に構成される。
【００４９】
図６Ｂに示される微小流体チップ（１１２ｂ）は、顕微鏡検査のために、血液と他の成分、例えば染色、洗浄溶液を支持するための基板（６０１）を含む。基板（６０１）には血液入口（６２２）があり、および基板の一方の端部（６０１ａ）には、気泡（包み）（６２４）に包まれた染色、および気泡（包み）（６２６）に包まれた洗浄溶液がある。使用が望まれる場合、血液入口（６２２）からの血液は、微小流体チャネル（６２８）を通過し、微小流体チャネル（６２８）の壁に付着した血球を残す。気泡（６２４）に対する圧力は、気泡（６２４）を破裂させ、染色を微小流体チャネル（６２８）を通じて付着した血球上に流し、その結果、染色と細胞は、基板（６０１）上の染色・視覚化領域（６３０）に達する。染色・視覚化領域（６３０）は、装置（１００）（５００）の光学機械システム（２１２）の光学素子（３０８）と並ぶように、基板（６０１）上に構成される。次に、気泡（６２６）に対する圧力は、気泡（６２６）を破裂させ、洗浄溶液を微小流体チャネル（６２８）を通して流し、残余の染色を除去し、血液・染色混合物を希釈する。
【００５０】
図６Ｃに示される微小流体チップ（１１２ｃ）は、顕微鏡検査のために、血液と他の要素、例えば染色を支持するための基板（６０１）を含む。基板（６０１）上には（基板（６０１）の一方の端部（６０１ａ）に）血液入口（６４２）があり、血液入口（６４２）は微小流体チャネル（６４４）の端部にあり、微小流体チャネル（６４４）は、（基板（６０１）の別の端部（６０１ｂ）にある）染色・視覚化チャンバ（６４６）で終端となる。染色・視覚化チャンバ（６４６）は、装置（１００）（５００）の光学機械システム（２１２）の光学素子（３０８）と並ぶように、基板（６０１）上に構成される。乾燥した状態で、染色は、微小流体チャネル（６４４）の壁に含まれており、それによって血液または希釈された血液（６４７）が微小流体チャネル（６４４）を通って染色・視覚化領域に流れると、血液（６４７）が染色を捕らえる。この微小流体チップ（１１２）は典型的に、単一の赤血球を見るために使用される。ここで、血液が希釈されていないため、微小流体チャネルは浅く、およそ１０マイクロメーターの直径である。
【００５１】
図６Ｄに示される微小流体チップ（１１２ｄ）は、血液と他の成分を支持するために基板（６０１）を含む。基板（６０１）は、一方の端部（６０１ａ）でサンプル入口（６５２）を支持し、これは微小流体チャネル（６５４）に接合し、後者は次に、基板（６０１）の別の端部（６０１ｂ）において視覚化チャンバ（６５６）に接合し終端となる。染色（６５７）と混合された、希釈された、または希釈されていない血液サンプルは、サンプル入口（６５２）に配置され、ここで染色されたサンプルが視覚化領域（６５６）へと流される。視覚化チャンバ（６５６）は、装置（１００）（５００）の光学機械システム（２１２）の光学素子（３０８）と並ぶように、基板（６０１）上に構成される。
【００５２】
信号チャネルは、ポート（１１４）から始まり、バイオセンサー片読取り装置（２２２）を含み、読取り装置（２２２）は使い捨てのバイオセンサー電極（１１６ｂ）（例えば、バイオセンサー片（１１６）の動作端部（１１６ａ）にある）からの電気的反応（サンプルと電極（１１６ｂ）との間の電気化学反応からの生成された電流、電極（１１６ｂ）／バイオセンサー片（１１６）からのアナログ信号としての出力）を読み取り、および、電気化学反応のアナログ信号、つまり疾患、疾病、測定値等に関する、電気的反応を示すアナログ信号を増幅する。読取り装置（２２２）からのアナログ信号をデジタル信号に変換するアナログ／デジタル変換器（ＡＤＣ）（２２４）、このサンプルにＧ６ＰＤ欠損があるかどうかを判定するためにデジタル信号を分析し、および追加の分析のために、スマートフォン（１０２）に信号を送信するために通信モジュール（２０８）と通信する信号分析ソフトウェアモジュール（２２６）が存在する。
【００５３】
代替的に、信号チャネルは、血糖値の検出に使用することができる。バイオセンサー片読取り装置（２２２）は、使い捨てのバイオセンサー電極（例えばバイオセンサー片（１１６））から、電気的反応から生成されたアナログ信号を増幅するように、さらに構成される。アナログ信号は血糖値に対応する。アナログ／デジタル変換器（ＡＤＣ）（２２４）は、読取り装置（２２２）からのアナログ信号をデジタル信号に変換し、および信号分析モジュール（２２６）は、血液サンプル中の血糖値を判定するために、ＡＤＣ（２２４）から受信したデジタル信号を分析する。この血糖値は、追加の分析のために、および（スマートフォン（１０２）またはスタンドアロンのデバイス（５００）（５００’）（図５Ａと５Ｂ）の）ディスプレイスクリーンへの提示のためにスマートフォン（１０２）に信号を送るために、血糖値に関する標準的な測定値に従って通信モジュール（２０８）に出力される。
【００５４】
代替的に、バイオセンサー片（１１６）は、Ｇ６ＰＤ欠損と血糖値を同時期に、および例えば同時に検出するために、信号を読み取り可能に変換可能な電気的反応を起こすために電極を含む多数のバイオセンサー電極（１１６ｂ）を含んでもよい。
【００５５】
他の代替案では、信号チャネルは、他の疾患、病原体またはバイオマーカー等の、他の疾病に使用可能である。バイオセンサー片読取り装置（２２２）は、使い捨てのバイオセンサー片上の電極からの電気的反応（電気化学反応）によって生成されたアナログ信号を増幅し、またはそうでなければ修正するように、さらに構成される。バイオセンサー片上の電極は、サンプルによって疾病と接触した時に電気化学反応を生成するように構成され、電気化学反応は、電流と、疾病に関する対応するアナログ信号を生成する（バイオセンサー片読取り装置は、これらの疾病の電気化学的署名（または電気化学反応）を認識し、かつ電気化学反応によって引き起こされた結果的なアナログ信号を増幅するように構成される）。アナログ／デジタル変換器（ＡＤＣ）（２２４）は、読取り装置（２２２）からのアナログ信号をデジタル信号に変換し、および信号分析モジュール（２２６）（疾病、例えばその有無を判定するようにプログラムされる）は、疾病を判定するために、ＡＤＣ（２２４）から受信したデジタル信号を分析する。この疾病判定は通信モジュール（２０８）に出力され、（スマートフォン（１０２）またはスタンドアロンのデバイス（５００）（５００’）（図５Ａと５Ｂ）の）ディスプレイスクリーンに提示するためにこの判定の信号をスマートフォン（１０２）に送信する。
【００５６】
デバイス、例えばスマートフォン（１０２）は、顕微鏡検査チャネルと信号チャネルの両方の部分を含む。スマートフォン（１０２）は、接続された記憶装置／メモリ（２４４）を伴う一般的な中央処理装置（ＣＰＵ）（２４２）、スマートフォン（１０２）のスクリーンディスプレイ（１０３）を制御するための論理を含むスクリーンディスプレイモジュール（２４６）、全地球測位システム（ＧＰＳ）モジュール（２４８）、ＲＡＭ（ランダムアクセスメモリ）等のデータ記憶装置（２５０）、慣性計測装置（ＩＭＵ）を形成するジャイロメーター、温度計、磁力計、および加速度計等のセンサー（２５２）、および、電子通信および／またはデータ通信で雄コネクタ（２０９）を受け取るための、雌タイプ（ｆｅｍａｌｅ  ｔｙｐｅ）ＵＳＢ（ユニバーサルシリアルバス）コネクタ（２５５）または他の類似のコネクタを含む通信モジュール（２５４）を含む。ＧＰＳまたは位置モジュール（２４８）は、リアルタイムのマッピング、およびマラリア等の疾患の疫学的制御と学習に使用される疾患のマッピングによって、（スマートフォン（１０２）、またはスタンドアロンのデバイスのＧＰＳまたは位置モジュール（５４８）の一部としての）組み込まれたＧＰＳユニットに基づいて、リアルタイムの位置表示の表示を提供するために機能する。
【００５７】
（スクリーンディスプレイモジュール（２４６）を介した）スクリーンディスプレイ（１０３）上への表示のためにカメラ画像を信号に変換するための、カメラ／画像センサーユニット（２６０）、例えばマラリア原虫の種類（例えば、熱帯熱マラリア原虫、三日熱マラリア原虫、Ｐ．マラリア、卵形マラリア原虫、サルマラリア原虫、および疾患段階）を検出し、および特定の血液サンプルに関するデータのタグ付けを行なうための画像分析のための分析モジュール（２６４）がさらに存在する。代替的に、分析モジュール（２６４）は、全血球計算、多重寄生虫（例えば回帰熱、フィラリア）、結核痰顕微鏡検査、尿検査、パプ塗抹試験分析等、およびさらに獣医学的疾患と疾病を含む他の疾患および疾病を分析し検出するようにプログラムすることができる。
【００５８】
ベース（１００）とスマートフォン（１０２）は共に、ネットワーク（２００）を介してクラウドサーバー（２７０）に接続し、ここでマラリア原虫の各フレームサンプルは、分析モジュール（２６４）の機械学習を累積的に更新するために、（直接またはデータ記憶装置（２５０）のいずれかから）送信される。新たな各画像フレームサンプルを用いて、クラウドサーバー（２７０）は、マラリア原虫をよりよく検出することができるように、分析モジュール（２６４）に最新の機械学習を送信する。これは、接続が有効な時はいつでも、オンラインまたはオフラインで、自動的に、またはリクエストにより行われる。クラウドサーバー（２７０）はまた、マシン（１０２）、および随意に、遠隔医療提供者（２８０）、スクリーンディスプレイ、および他の情報からの診断の両方によって、例えば、とられた各試験記録、時間、位置、診断（寄生虫とＧ６ＰＤの両方）、患者情報および症状等を保存し、かつリアルタイムでマラリアの事例をマッピングすることができる。ベース（１００）、スマートフォン（１０２）、クラウドサーバー（２７０）、遠隔医療提供者コンピュータ（２８０ａ）（２８０ｂ）のいずれかの間のネットワーク（２００）を通じたすべてのデータ保存およびデータ伝送は、ＨＩＰＡＡ（Ｈｅａｌｔｈ  Ｉｎｓｕｒａｎｃｅ  Ｐｏｒｔａｂｉｌｉｔｙ  ａｎｄ  Ａｃｃｏｕｎｔａｂｉｌｉｔｙ  Ａｃｔ）に従う。
【００５９】
例えば、ベース（１００）とスマートフォン（１０２）はまた、ネットワーク（２００）を経由して、コンピュータ（２８０ａ）またはスマートフォン（２８０ｂ）を介して（携帯電話の基地局（２８２）を介して）遠隔医療提供者（２８０）へとリンクする。遠隔医療提供者（２８０）は診断を提供することができ、診断は、クラウドサーバー（２７０）に送られ、またはスマートフォン（１０２）の分析モジュール（２４６）に戻されるかのいずれかである。
【００６０】
図３は、画像化チャネルと信号チャネルの概略図を示す。これらのチャネルは、ベース（１００）とスマートフォン（１０２）の両方にある部分にある。
【００６１】
顕微鏡検査チャネルはポート（１１０）から始まり、後者は微小流体チップ（１１２）を受け入れる。このチップ（１１２）は、血液サンプルを分散し、適切にそれを染色し、かつ血球を分離するために、毛管作用を使用する。光学機械システム（２１２）は、微小流体チップ（１１２）を保持するスタンドまたは引出し（ｄｒａｗｅｒ）（３０２）を含む。スタンド／引出し（３０２）は、コントローラ（２１２ａ）によって制御された走査メカニズム（３０４）上にあり、これは、レンズ（２１６）等で終端となる、光学中継システム（２１４）の光学素子（３０８）によって見られる様々な位置（楕円形の両矢印（３０６）によって表される）へと、チップ（１１２）を操作することを可能にする。スクリーニングメカニズム（スタンド／引出し（３０２）と走査メカニズム（３０４）によって形成される）は、例えば引出し（３０２）の動きに基づいて、または、例えば（光学中継システム（２１４）の一部である）鏡またはプリズムを使用する光学的設計に基づいて、光学的にスクリーニングされる。
【００６２】
光学中継システム（２１４）の光学素子（３０８）（上記に詳述されたライト（２１７）に類似の）ライト（３０９）を含む）からの画像は、スマートフォン（１０２）のカメラ（２６０）のレンズ（３２０）、またはスタンドアロンのデバイスの場合はスタンドアロンの画像センサーに、送信される。カメラ（２６０）からの画像は、分析モジュール（２６４）に入力される出力信号を用いて、画像センサーユニット（２６２）によって信号に変換される。出力信号はまた、分析モジュール（２６４）からスクリーンディスプレイモジュール（２４６）まで進み、その結果、血液サンプルがディスプレイスクリーン（１０３）に表示される。
【００６３】
画像解析、機械学習、および人工知能（ＡＩ）を含むプロセスによって訓練された分析モジュール（２６４）は、疾患または疾病を判定し、および検出された疾患または疾病に関する診断および／または処置プロトコルを提供する。さらに、ＣＰＵ（２０２）は、検出された疾患または疾病に関する診断および／または処置プロトコルを提供する役目を担う。疾患および／または疾病のこの検出および／または診断は、例えば、それらの異なる段階と種類における、寄生虫の形態学上の「バイオマーカー」分析に基づく。アルゴリズム（コントローラ（２１２ａ）により実行）は、（ソフトウェアおよび／またはハードウェアに）画像処理能力、（ソフトウェアおよび／またはハードウェアに）細分化能力、フィルタ、およびＲｅｖＤｘシステムからの既知の収集されたデータとの特定の形態学上の比較を含む。結果として生じた診断データは、データ記憶装置（２５０）および／またはクラウドサーバー（２７０）に保存される。例えば、それはまた、確認のために遠隔医療提供者（２８０）に送信される。
【００６４】
信号チャネルはポート（１１４）から始まる。バイオセンサー片（１１６）上の血液サンプルはポート（１１４）に配置され、および電気的反応（電気化学反応）は、電気化学反応に由来し、相関したアナログ信号を生成する。アナログ信号はバイオセンサー読取り装置（２２２）によって読み取られ、それは相関させたアナログ信号を増幅する。バイオセンサー読取り装置（２２２）は、アナログ信号を増幅し、場合によってはフィルタリングし、アナログ信号はアナログ／デジタル変換器（ＡＤＣ）（２２４）によってデジタル信号に変換される。例えば、デジタル信号のＡＤＣ（２２４）出力は、Ｇ６ＰＤ欠損に関して、デジタル信号入力を分析する信号分析モジュール（２２６）へと入力される。サンプルからのＧ６ＰＤの存在に対応するデータは、信号分析モジュール（２２６）によって通信モジュール（２０８）に送られ、次にスマートフォン（１１２）の通信モジュール（２５４）に送られる。ここで、スマートフォン（１１２）において、データは通信モジュール（２５４）から分析モジュール（２６４）に送られ、ここでデータは、既知の処理手順に基づき推奨される薬剤に関して分析される。分析モジュール（２６４）は、Ｇ６ＰＤ欠損の有無、マラリア原虫の種類、その種、その密度、段階および他の因子を表記する図表を、ディスプレイスクリーン（１０３）に表示するために、スクリーンディスプレイモジュール（２４６）に信号する。
【００６５】
代替的に、上記で詳述されたように、信号チャネルが血糖読み取り値を提供するように構成されれば、そのような血糖読み取り値は、バイオセンサー片（１１６）上の電極（１１６ｂ）に応じて、Ｇ６ＰＤ産生と共に、または別個に得られる場合もある。例えば、グルコースレベルと併せてＧ６ＤＰ結果は、例えば図７に示されるように、処置プロトコルを決定するためにＣＰＵ（２０２）によって分析される。処置プロトコル、および疾患または疾病の存在は、開示されるデバイス（１００）（５００）（５００’）におけるＣＰＵ（２０２）によって命令されるように、ユーザーインターフェース（ＵＩ）としてのディスプレイスクリーン、スマートフォン（１０３）、またはスタンドアロンのデバイス（５００）（５００’）に表示される。
【００６６】
マラリア処置プロトコルに関する最終決定は、マラリアが検出されれば、顕微鏡検査チャネルと信号チャネルの両方からの分析に基づく。この分析は、わずか数分で、現場でアルゴリズム（例えばＣＰＵ（２０２）によって実行）により自動的に行われ、または不確実な場合には、データがインターネットを通じて送信され、ネットワーク（２００）を通じて遠隔医療提供者（２８０）により遠隔で分析され得る。
【００６７】
同様に、信号チャネルは、Ｇ６ＰＤ産生、血糖、または尿検査からのものを含む、血液からの疾患と疾病の他の読み取り値を提供するように構成される必要が有る。前述の１つ以上は、処置プロトコルを決定するためにＣＰＵ（２０２）にプログラムされると、一緒に分析される。
【００６８】
ここで図４Ａと４Ｂに注目すると、これらの図は、開示される主題の実施形態に従い、コンピュータに実装されたプロセスを詳述するフローダイアグラムを示す。図１−３に示される要素への言及もまたなされる。図４Ａと４Ｂのプロセスおよびサブプロセスは、本発明のシステムによって行なわれるコンピュータ化されたプロセスであり、および例えば、手動で、自動で、またはそれらの組み合わせで、かつ例えばリアルタイムで行われる。
【００６９】
図４Ａは、本発明の顕微鏡検査チャネルの顕微鏡検査プロセスの、フローダイアグラム例である。最初に、ブロック（４０２）において、血液サンプルが得られ、上記で詳述した微小流体チップ（１１２）等の微小流体チップ上に配置され、血液が染色され、微小流体チップ（１１２）はポート（１１０）を介してベース（１００）に配置される。光学中継システム（光学中継）（２１４）を介して、ブロック（４０４）において、微小流体チップにおいて染色された血液サンプルの顕微鏡画像が、スマートフォンまたはスタンドアロンのデバイス概念（ｄｅｖｉｃｅ  ｃｏｎｃｅｐｔ）（１０２）のカメラ（２６０）に達する。カメラ／画像センサーユニット（２６０）の画像は、ブロック（４０６）において、デジタルデータ、例えばデジタル信号に変換される。デジタルデータは、ブロック（４０８）において、機械学習と人工知能（ＡＩ）を使用して、ソフトウェア分析モジュール（２６４）により分析される。分析モジュール（２６４）は、ブロック（４２０）で診断を報告する。さらに、ブロック（４２０）において、血液サンプルの画像が、スクリーンディスプレイモジュール（２４６）を介してスクリーンディスプレイ（１０３）に表示される。ブロック（４０８）から、プロセスはブロック（４７０）に移動し、そこで終了する。
【００７０】
ブロック（４２０）からブロック（４３０）に移動し、視覚画像を含む血液サンプルに関するデータは、分析モジュール（２６４）によって随意にタグ付けされ得る。
【００７１】
ブロック（４３０）から、プロセスは、一連の（４４０）、（４５０）、（４６０）におけるブロックによって規定される、３つの随意の経路の１つ以上を移動することができる。
【００７２】
ブロック（４３０）からブロック（４４０）に移動し、タグ付けされたサンプルデータは、例えばデータ記憶装置（２５０）に保存され得る。次に、タグ付けされたデータは、ブロック（４４２）において、記憶装置からクラウドサーバー（２７０）等のクラウドサーバーへと、またはブロック（４３０）からブロック（４４２）へと、クラウドサーバー（２７０）に直接、送信することができる。ブロック（４４２）では、クラウドサーバー（４７０）において、データと画像に関する診断を用いてその機械学習、人工知能（ＡＩ）が更新される。プロセスはブロック（４４４）に移動し、ここで分析モジュール（２６４）が、この新たなデータを用いて更新される。プロセスはその後、ブロック（４７０）に移動し、ここで終了する。
【００７３】
ブロック（４３０）からブロック（４５０）に移動し、タグ付けされたサンプルデータ、または（ブロック（４４０）からの）保存されタグ付けされたサンプルデータは、随意のプロセスにおいて、例えば、ネットワーク（２００）を通じて遠隔医療専門家（２８０）へと送信され、例えば彼のコンピュータ（２８０ａ）またはスマートフォン、タブレット型コンピュータ、ラップトップコンピュータ（２８０ｂ）等に送信され得る。ブロック（４５２）において、診断が、遠隔医療提供者（２８０）から、例えばスマートフォン（１０２）で受信され、ここからプロセスはブロック（４７０）へと移動して終了し、またはクラウドサーバー（２７０）において受信される。一旦クラウドサーバー（２７０）で受信されると、以下に詳述されるように、プロセスは次にブロック（４４４）に移動し、ここで分析モジュール（２６４）がこの新たなデータを用いて更新され、またはブロック（４６０）へと移動する。ブロック（４４４）から、プロセスはブロック（４７０）に移動し、そこで終了する。
【００７４】
ブロック（４３０）またはブロック（４５２）のいずれかから到達したブロック（４６０）において、サンプルは、ＧＰＳタグとタイムスタンプに基づいて、例えばクラウドサーバー（２７０）によって随意にマッピングされ得る。プロセスはブロック（４６２）の随意のプロセスに移動し、ここでクラウドサーバー（２７０）は、すべての試験結果のマップを提供する。プロセスはその後、ブロック（４７０）に移動し、そこで終了する。プロセスはまた、ブロック（４６０）からブロック（４７０）に移動することもでき、そこで終了する。
【００７５】
図４Ｂは、本発明の信号チャネルに関する信号処理プロセスの例のフローダイアグラムである。最初に、ブロック（４１２）において、血液サンプルが得られ、上記で詳述したバイオセンサー片（１１６）等のバイオセンサー片上に配置される。バイオセンサー片（１１６）は、ブロック（４０２）において、ポート（１１４）を介してベース（１００）内に配置される。血液サンプルは電気化学反応を引き起こし、これは結果として、ブロック（４１４）において、アナログ信号としての電気的反応の出力をもたらし、バイオセンサー読取り装置（２２２）によって読み取られる。例えばバイオセンサー読取り装置（２２２）によって増幅されたアナログ信号出力は、ブロック（４１６）において、アナログ／デジタル変換器（ＡＤＣ）（２２４）に入力され、アナログ信号がデジタル信号に変換される。次に、ブロック（４１８）において、デジタル信号が信号分析モジュール（２２６）に入力され、ここでデジタル信号が分析される。信号はその後、ブロック（４２０’）において分析モジュール（２６４）に渡され、診断が報告される。さらに、ブロック（４２０’）において、Ｇ６ＰＤ欠損の状態を示す図形と絶対数が、スクリーンディスプレイモジュール（２４６）を介してスクリーンディスプレイ（１０３）に表示される。ブロック（４１８）において、プロセスはブロック（４７０）に移動し、ここで終了する。
【００７６】
ブロック（４２０’）から、上記で詳述されたように、プロセスは、ブロック（４３０）、（４４０）、（４４２）、（４４４）、（４５０）、（４５２）、（４６０）、（４６２）の随意のプロセスに移動することができ、最終的にブロック（４７０）で終了する。
【００７７】
図５Ａと５Ｂは、顕微鏡検査チャネルおよび信号チャネルを介して開示されるプロセスを行なうための、代替的なモバイルコンピューティングデバイス（５００）（５００’）を示す。デバイス（５００）（５００’）は、デバイス（１００）のものと同一または類似のコンポーネントを含み、および同じ要素番号を有し、図２のデバイス（１００）に関する先の記述に従う。スクリーンディスプレイモジュール（５４６）（デバイス（５００）のスクリーンディスプレイ（５０３）、例えばタッチスクリーを制御する）、位置ベースのＧＰＳモジュール（５４８）、データ記憶装置（５５０）、センサーＩＭＵ（５５２）、画像センサーユニット（５６２）、および分析モジュール（５６４）を含むコンポーネントは、図２のスマートフォン（１０２）にある対応するコンポーネントと同一または類似するが、５００番代の要素番号を有し（図２の２００番代ではなく）、図２で対応して番号付けされたコンポーネントに倣う。分析モジュール（５６４）は、疾患および／または疾病の存在または不在を判定するために（例えばマラリア原虫の診断）、または測定（例えば血糖値、および全血球計算）のために、例えば画像識別、人工知能等によって、スキャンされたサンプルを分析する。デバイス（５００）（図５Ａ）はスタンドアロンのデバイスとして作動することができるため、光学中継システム（２１４）は随意であり、ここでレンズ（２１６）と光学中継システム（２１４）は必要ではなく、または、スマートフォンあるいは他のデバイスでは、光学中継システム（２１４）とレンズ（２１６）が必要な場合もある。デバイス（５００’）（図５Ｂ）は、光学中継システム（２１４）とレンズ（２１６）を欠いており、したがってもっぱらスタンドアロンのデバイスとして動作する。
【００７８】
図５Ｃは、スクリーンディスプレイ（５０３）を含むスタンドアロンのユニットとしてデバイス（５００’）を示し、スクリーンショット（５８０）を示している。このデバイス（５００’）は、ハンドヘルドつまり携帯用であり、かつバッテリーと、外部電源および太陽エネルギーからの再充電に関するオプションで動作する。
【００７９】
図７は、例えば、処置決定サポート（例えば、処置の推奨、処置プロトコル等の提供）のためにデバイス（１００）（５００）および（５００’）のＣＰＵ（２０２）にプログラムされる（実行される）決定図としてプロセスを示す。処置の推奨とプロトコルが、図８Ａ−８Ｄにスクリーンディスプレイ（スクリーンショット）（５８０ａ−５８０ｄ）として示され、以下に詳述されるように、例えばスタンドアロンのデバイス（５００’）のスクリーンディスプレイ（５０３）上のもの等の、スクリーンディスプレイ上のユーザーインターフェース（ＵＩ）として現れる。
【００８０】
プロセスの第１の枝で、熱帯熱マラリアがブロック（７０２）において検出される場合。被験体が低血糖かどうかを確かめるために、グルコースチェックがブロック（７０４）において行われる。低血糖の場合、ブロック（７０６）において、アルテミシニン併用療法（ＡＣＴ）を用いた処置が提案される。ブロック（７０８）において、さらなる感染の予防にプリマキンが使用される場合、本明細書に開示されるデバイス（１００）（５００）（５００’）を介したＧ６ＰＤ欠損試験が、処置の前に使用されてもよい。
【００８１】
プロセスの第２の枝で、非熱帯熱マラリアまたは混合感染がブロック（７１２）において検出される場合。ブロック（７１４）において、本明細書に開示されるデバイス（１００）（５００）（５００’）を介したＧ６ＰＤ試験と共に、ＡＣＴまたはクロロキンを用いる処置が提案される。Ｇ６ＰＤが陰性の場合、プリマキンでの処置がブロック（７１６）において提案される。
【００８２】
プロセスの第３の枝で、熱帯熱マラリアおよび非熱帯熱マラリアに関する試験が陰性であれば、上記に開示されるデバイス（１００）（５００）（５００’）での試験が、患者に高い臨床的疑いがある場合に、ブロック（７２２）において提案される。
【００８３】
図８Ａは、マラリア検査の結果を示し、かつ処置プロトコルを提案するスクリーンショット（５８０ａ）を伴うデバイス（５００’）を示す。図８Ｂは、マラリア検査の結果を示し、かつＣＰＵ（２０２）またはクラウドサーバー（２７０）からのものであり得る薬についての情報を提供するスクリーンショット（５８０ｂ）を伴うデバイス（５００’）を示す。図８Ｃは、白血球数を詳述するスクリーンショット（５８０ｃ）を伴うデバイス（５００’）を示す。図８Ｄは、赤血球数を詳述するスクリーンショット（５８０ｄ）を伴うデバイス（５００’）を示す。
【００８４】
上記で開示されたデバイスと方法は、マラリア等の疾患に関連するが、これらのデバイスはまた、分析のために白血球／赤血球を認識するようにプログラムされた様々なモジュールを用いて、他の疾患状態の診断と、白血球／赤血球数および白血球分化等の血球数測定にも適応可能である。
【００８５】
本発明の実施形態の方法および／またはシステムの実施は、選択されたタスクを手動で、自動的に、またはそれらの組み合わせで行なうこと、または完了することを含み得る。さらに、本発明の方法および／またはシステムの実施形態の実際の器具と設備によれば、いくつかの選択されたタスクが、ハードウェアによって、ソフトウェアによって、またはファームウェアによって、あるいはオペレーティングシステムを使用するそれらの組み合わせによって、実行されてもよい。
【００８６】
例えば、本発明の実施形態に従い選択されたタスクを実行するためのハードウェアは、チップまたは回路として実装されてもよい。ソフトウェアのように、本発明の実施形態に従った選択されたタスクは、任意の適切なオペレーティングシステムを使用しコンピュータによって実行される複数のソフトウェア命令として実装されてもよい。本発明の典型的な実施形態では、本明細書に記載される方法および／またはシステムの典型的な実施形態による１つ以上のタスクは、複数の命令を実行するためのコンピューティングプラットフォーム等のデータ処理装置によって行なわれる。随意に、データ処理装置は、命令および／またはデータを保存するための揮発性メモリ、および／または不揮発性記憶装置、例えば命令および／またはデータを保存するための磁気ハードディスクおよび／またはリムーバブルメディア等の非一時的記憶媒体を含む。随意に、ネットワーク接続もまた提供される。ディスプレイ、および／またはキーボードまたはマウス等のユーザー入力デバイス、またはプリンターも、随意に提供される。
【００８７】
例えば、１つ以上の非一時的コンピュータ可読（記憶）媒体の任意の組み合わせが、本発明の先に表記された実施形態に従って利用されてもよい。非一時的コンピュータ可読（記憶）媒体は、コンピュータ可読信号媒体またはコンピュータ可読記憶媒体であってもよい。コンピュータ可読記憶媒体は、例えば、限定されないが、電子、磁気、光学、電磁気、赤外線、または半導体のシステム、装置、またはデバイス、あるいはこれらの任意の適切な組み合わせであってもよい。コンピュータ可読記憶媒体のより具体的な例（非網羅的なリスト）は、以下を含むだろう：１つ以上のワイヤを有する電気的接続部、ポータブルコンピュータディスケット、ハードディスク、ランダムアクセスメモリ（ＲＡＭ）、読み取り専用メモリ（ＲＯＭ）、消去可能プログラム可能ＲＯＭ（ＥＰＲＯＭまたはフラッシュメモリ）、光ファイバー、ポータブル読み取り専用コンパクトディスク（ＣＤ−ＲＯＭ）、光学記憶装置、磁気記憶装置、またはこれらの任意の適切な組み合わせ。本明細書の内容において、コンピュータ可読記憶媒体は、命令実行システム、装置またはデバイスによって、またはそれらと接続して使用するためのプログラムを含み、または保存することができる、任意の触知可能な媒体であってもよい。
【００８８】
コンピュータ可読信号媒体は、例えばベースバンドにある、または搬送波の一部である、そこに具現されたコンピュータ可読プログラムコードを備えた伝播データ信号を含んでもよい。そのような伝播信号は、限定されないが電気・磁気、光学、またはそれらの任意の適切な組み合わせを含む、様々な形式のいずれかをとってもよい。コンピュータ可読信号媒体は、コンピュータ可読記憶媒体でなく、および命令実行システム、装置、またはデバイスによって、またはそれらと接続して使用するためのプログラムを通信、伝播、または伝達することができるコンピュータ可読媒体であってもよい。
【００８９】
上記で提供されるパラグラフと参照された図面に関連して理解されるように、コンピュータに実装された方法の様々な実施形態が本明細書に提供され、それらのいくつかは、本明細書に記載される装置とシステムの様々な実施形態によって実施可能であり、およびそれらのいくつかは、本明細書に記載される非一時的コンピュータ可読記憶媒体に保存された命令に従って実行可能である。さらに、本明細書に記載される実施形態を参照することで当業者に明白になるように、本明細書に提供されるコンピュータに実装された方法のいくつかの実施形態は、他の装置またはシステムによって実行可能であり、および本明細書に記載されるもの以外のコンピュータ可読記憶媒体に保存された命令に従って実行可能である。以下のコンピュータに実装された方法に関する、システムおよびコンピュータ可読記憶媒体への言及は、説明の目的で提供され、上記のコンピュータに実装された方法の実施形態に関して、そのようなシステムのいずれか、およびそのような非一時的コンピュータ可読記憶媒体のいずれかを限定することを意図しない。同様に、システムおよびコンピュータ可読記憶媒体に関する、以下のコンピュータに実装された方法へのいかなる言及も、説明の目的で提供され、本明細書に開示されるそのようなコンピュータに実装された方法のいずれかを限定することを意図しない。
【００９０】
図面のフローチャートとブロック図は、本発明の様々な実施形態に係る、システム、方法およびコンピュータプログラム製品の可能な実施のアーキテクチャ、機能および動作を例示する。この点に関し、フローチャートまたはブロック図の各ブロックは、モジュール、セグメント、またはコードの部分を表す場合もあり、特定の論理関数（複数可）を実行するための１つ以上の実行可能な命令を含む。いくつかの代替的な実装において、ブロックに記された機能が、図に記された順序から外れて生じてもよいことに留意する必要がある。例えば、連続して示される２つのブロックは、実際には、実質的に同時に実行されてもよく、またはブロックは、含まれる機能に応じて、しばしば逆の順序で実行されてもよい。ブロック図の各ブロック、および／またはフローチャート図、ならびにブロック図および／またはフローチャート図におけるブロックの組み合わせは、特定の機能または動作を実行する、または特定用途向けハードウェアとコンピュータ命令の組み合わせを実行する、特定用途向けハードウェアに基づくシステムによって実行可能であることが、さらに留意される。
【００９１】
本発明の様々な実施形態の記述は、例示の目的で示されてきたが、網羅的なもの、または開示される実施形態への限定としては意図されない。多くの修正と変形が、記載される実施形態の範囲と精神から逸脱することなく当業者に明らかになるだろう。本明細書で使用される用語は、実施形態の原理、市場で見出された技術に対する実用化または技術的改善について最良の説明を行うために、または本明細書に開示される実施形態を当業者が理解できるように、選ばれた。
【００９２】
本明細書で使用されるように、単数形の「ａ」、「ａｎ」および「ｔｈｅ」は、文脈が明確に指定しない限り、複数の参照物を含む。
【００９３】
「典型的に（ｅｘｅｍｐｌａｒｙ）」という単語は、本明細書において「実施例、例または例示として役立つ」ことを意味する。「典型的に」と記載される任意の実施形態は必ずしも、他の実施形態よりも好ましい、または有利なものとして解釈されず、および／または他の実施形態からの特徴の組み込みを除外しない。
【００９４】
明確にするために別個の実施形態の文脈で記載される本発明の特定の特徴は、単一の実施形態において組み合わせて提供されてもよいことが理解される。逆に、簡略化のために単一の実施形態の文脈で記載される本発明の様々な特徴は、別々に、または任意の適切なサブコンビネーション（ｓｕｂｃｏｍｂｉｎａｔｉｏｎ）で、または本発明の他の実施形態において、適切に提供され得る。様々な実施形態の文脈で記載される特定の特徴は、要素なしでは実施形態が有効ではないというのでなければ、それらの実施形態の本質的な特徴とは見なされない。
【００９５】
それらの部分を含む上記のプロセスは、ソフトウェア、ハードウェア、およびそれらの組み合わせによって行なうことができる。それらプロセスとその部分は、コンピュータ、コンピュータ型のデバイス、ワークステーション、プロセッサ、マイクロプロセッサ、他の電子検索ツールとメモリ、およびそれらと関係する他の非一時的記憶装置タイプのデバイスによって行なうことができる。
【００９６】
例えば、プロセスとその部分はまた、プログラム可能な非一時的記憶媒体、例えばマシン等による読取りが可能なコンパクトディスク（ＣＤ）、あるいは磁気ディスク、光学ディスク等を含む他のディスク、または磁気記憶装置、光学記憶装置、あるいは半導体記憶装置を含むコンピュータ利用可能な記憶媒体、または他の電子信号ソースに具現可能である。本明細書において、それらのコンポーネントを含むプロセス（方法）とシステムは、特定のハードウェアとソフトウェアへの典型的な言及を用いて記載される。プロセス（方法）は典型的なものとして記載されており、それにより特定の工程とそれらの順序は、過度の実験なしに実施できるようにこれらの実施形態を減らすために、当業者によって省略され、および／または変更され得る。プロセス（方法）とシステムは、過度の実験なしに、かつ従来技術を使用して実施するために実施形態のいずれかを減らすのに必要とされ得るように、当業者が他のハードウェアとソフトウェアを容易に適応できるように十分な方式で記載されている。
【００９７】
本発明は、その特定の実施形態に関連して記載されるが、多くの代替案、変更および変形が当業者に明らかであることは明白である。したがって、添付の特許請求の範囲の精神および広い範囲内に、そのような全ての代替案、変更および変形が包含されるように意図される。
【図１】
2020507071.tif 000003
【図２】
2020507071.tif 000004
【図３】
2020507071.tif 000005
【図４Ａ】
2020507071.tif 000006
【図４Ｂ】
2020507071.tif 000007
【図５Ａ】
2020507071.tif 000008
【図５Ｂ】
2020507071.tif 000009
【図５Ｃ】
2020507071.tif 000010
【図６Ａ】
2020507071.tif 000011
【図６Ｂ】
2020507071.tif 000012
【図６Ｃ】
2020507071.tif 000013
【図６Ｄ】
2020507071.tif 000014
【図７】
2020507071.tif 000015
【図８Ａ】
2020507071.tif 000016
【図８Ｂ】
2020507071.tif 000017
【図８Ｃ】
2020507071.tif 000018
【図８Ｄ】
2020507071.tif 000019
【国際調査報告】
2020507071.tif 000020
2020507071.tif 000021
2020507071.tif 000022
2020507071.tif 000023
2020507071.tif 000024
2020507071.tif 000025